(57)【要約】【課題】部品点数を削減することのできる電子機器を提供すること。【解決手段】開口部３が形成された天板部２を有する筐体１と、天板部２の上面に配設され閉位置から上方向に変位可能な蓋体２０と、開口部３に配設され初期位置から下方向に変位可能な操作部材１０および操作部材１０の変位を検出するタクティールスイッチ３０とからなる入力装置を備えている。そして、開口部３の周縁部に天板部２に固着された磁石５を備え、操作部材１０は、操作部材１０と連動可能に設けられ磁石５の下方に配置される操作部材用磁性部１６を備え、蓋体２０は、蓋体２０と連動可能に設けられ磁石５の上方に配置される蓋体用磁性部２１を備えている。そして、操作部材１０は操作部材用磁性部１６が磁石５に引き寄せられることにより初期位置に保持されるとともに、蓋体２０は蓋体用磁性部２１が磁石５に引き寄せられることにより閉位置に保持される。【選択図】図３
2015011921.tif 000002
【特許請求の範囲】
【請求項１】
開口部が形成された天板部を有する筐体と、
前記天板部の上面に配設され閉位置から上方向に変位可能な蓋体と、
前記開口部に配設され初期位置から下方向に変位可能な操作部材および前記操作部材の変位を検出する検出手段とからなる入力装置と、を備えた電子機器であって、
前記開口部の周縁部に前記天板部に固定された磁石を備え、
前記操作部材は、前記操作部材と連動可能に設けられ前記磁石の下方または側方に配置される操作部材用磁性部を備え、
前記蓋体は、前記蓋体と連動可能に設けられ前記磁石の上方に配置される蓋体用磁性部を備え、
前記操作部材は前記操作部材用磁性部が前記磁石に引き寄せられることにより前記初期位置に保持されるとともに、前記蓋体は前記蓋体用磁性部が前記磁石に引き寄せられることにより閉位置に保持されることを特徴とする電子機器。
【請求項２】
前記操作部材は、磁性金属からなる揺動ブラケットを備え、前記揺動ブラケットの端部を前記操作部材用磁性部としたことを特徴とする請求項１記載の電子機器。
【発明の詳細な説明】
【技術分野】
【０００１】
本発明は、操作部材を有する入力装置および蓋体を備えた電子機器に関するものである。
【背景技術】
【０００２】
押圧操作される操作部材を有する入力装置は、操作部材に加えてタクティールスイッチ等のスイッチ手段とスイッチ手段を駆動するための駆動部材を有していることが一般的である。このような入力装置においては、スイッチ手段と駆動部材とが当接した状態となるよう操作部材を保持することが理想であるが、そのように設定すると製造誤差によりスイッチ手段を駆動したままになる可能性があることから、スイッチ手段と駆動部材との間にクリアランスを設けるのが一般的である。しかしこのクリアランスにより操作部材のガタツキが発生してしまう。
【０００３】
特許文献１の図３４Ａには、操作部材に磁石を設けるとともに筐体に磁性部を設け、磁力により操作部材を初期位置に保持するようにしたパーソナルコンピュータが開示されている。これによれば、スイッチ手段と駆動部材との間にクリアランスがあったとしても、操作部材のガタツキを抑えることができる。
【０００４】
このようなパーソナルコンピュータ等には、表示装置を兼ねる蓋体が設けられることが一般的であり、筐体に磁石を設けるとともに蓋体に磁性部を設け、蓋体が開かないように保持するようにしたものが考えられている。これによれば、メカ的な係止手段等を設ける必要がなく、デザイン性を向上させることができる。しかし、このようにすると、磁石の数が多くなり、部品点数が多くなってしまう、という問題点があった。なお、磁石としてはネオジム磁石等の小型で強力なものを用いるが、このようなものは高価であり、コスト面にも問題がある。
【先行技術文献】
【特許文献】
【０００５】
【特許文献１】特表２０１２−５０４２７５号公報
【発明の概要】
【発明が解決しようとする課題】
【０００６】
本発明は、部品点数を削減することのできる電子機器を提供することを目的としてなされたものである。
【課題を解決するための手段】
【０００７】
請求項１に記載の電子機器においては、開口部が形成された天板部を有する筐体と、前記天板部の上面に配設され閉位置から上方向に変位可能な蓋体と、前記開口部に配設され初期位置から下方向に変位可能な操作部材および前記操作部材の変位を検出する検出手段とからなる入力装置を備え、前記開口部の周縁部に前記天板部に固定された磁石を備え、前記操作部材は、前記操作部材と連動可能に設けられ前記磁石の下方または側方に配置される操作部材用磁性部を備え、前記蓋体は、前記蓋体と連動可能に設けられ前記磁石の上方に配置される蓋体用磁性部を備え、前記操作部材は前記操作部材用磁性部が前記磁石に引き寄せられることにより前記初期位置に保持されるとともに、前記蓋体は前記蓋体用磁性部が前記磁石に引き寄せられることにより閉位置に保持される、という特徴を有する。
【０００８】
請求項１に記載の電子機器によれば、共通の磁石で操作部材を保持するとともに蓋体を保持するようにしたので、磁石の数を減らすことができ、部品点数を削減することができる。
【０００９】
請求項２に記載の電子機器においては、前記操作部材は、磁性金属からなる揺動ブラケットを備え、前記揺動ブラケットの端部を前記操作部材用磁性部とした、という特徴を有する。
【００１０】
請求項２に記載の電子機器によれば、揺動ブラケットと操作部材用磁性部を同一部品で構成したので、部品点数を削減することができる。また、操作部材の剛性を高めることができ、良好な操作感触を得ることができる。
【発明の効果】
【００１１】
本発明によれば、共通の磁石で操作部材を保持するとともに蓋体を保持するようにしたので、磁石の数を減らすことができ、部品点数を削減することができる。
【図面の簡単な説明】
【００１２】
【図１】第１実施形態の電子機器における操作部材１０の周辺を切り出した部分の斜視図である。
【図２】第１実施形態の電子機器における操作部材１０の周辺を切り出した部分から筐体１を除いた状態の斜視図である。
【図３】第１実施形態の電子機器における操作部材１０の周辺を切り出した部分の分解斜視図である。
【図４】図１のＡ−Ａ断面図である。
【図５】第１実施形態の電子機器の、蓋体２０が閉じられ操作部材１０が操作されていない状態を模式的に示す断面図である。
【図６】第１実施形態の電子機器の、蓋体２０が開けられ操作部材１０が操作された状態を模式的に示す断面図である。
【図７】第２実施形態の電子機器における操作部材１０の周辺を切り出した部分から筐体１を除いた状態の斜視図である。
【発明を実施するための形態】
【００１３】
以下に第１実施形態における電子機器について説明する。
【００１４】
図１は、本実施形態の入力装置における操作部材１０の周辺を切り出した部分の斜視図である。第１実施形態における入力装置は、図１に示すように、筐体１を備え、筐体１の天板部２には開口部３が形成されている。開口部３には、開口部３と略同形状の露出部分を有する操作部材１０が配設されている。
【００１５】
図２は、本実施形態の電子機器における操作部材１０の周辺を切り出した部分から筐体１を除いた状態の斜視図である。
【００１６】
図３は、本実施形態の電子機器における操作部材１０の周辺を切り出した部分の分解斜視図である。操作部材１０は、下側に配置される揺動ブラケット１１と、揺動ブラケット１１の上側に配置されるセンサ基板１２と、センサ基板１２の上側に取り付けられる表面シート１３から構成される。センサ基板１２は、静電容量を検出するための駆動電極および検出電極等が備えられており、操作者の指が表面シート１３に触れると、指の位置を検出して出力できるようになっている。揺動ブラケット１１の上面にはクッション部材１７が取り付けられている。
【００１７】
図４は、本実施形態の電子機器における操作部材１０の周辺を切り出した部分の断面図であり、図１のＡ−Ａ断面図である。筐体１は、天板部２を備え、天板部２の前方（紙面上は左側）の下側には磁石５が固着されている。
揺動ブラケット１１は、鉄等の磁性金属からなり、前端部には突出部分をクランク状に下側に折り曲げて形成される折曲部分が延設され、この折曲部分を操作部材１０と連動可能な操作部材用磁性部１６とした。操作部材用磁性部１６は磁石５の下方に配置され、磁石５により引き寄せられている。操作部材１０は、操作部材用磁性部１６が磁石５により上方に引き寄せられるとともに、クッション部材１７が天板部２の下面に当接することにより初期位置に保持されている。
揺動ブラケット１１の後端部は弾性部材１４を介して締結部材１５により筐体１に圧接されており、これにより揺動ブラケット１１は揺動可能に支持され、操作部材１０は下方向に変位可能になっている。
センサ基板１２の下面には検出手段となるタクティールスイッチ３０が倒立した状態で取り付けられている。タクティールスイッチ３０の下側には筐体１と一体に延設された駆動部４が配置されており、操作部材１０を下方に変位させるとタクティールスイッチ３０は駆動部４により駆動され、操作部材１０の下方への変位が検出される。このタクティールスイッチ３０と操作部材１０により入力装置が構成されている。
【００１８】
図５は、本実施形態の電子機器の、蓋体２０が閉じられ操作部材１０が操作されていない状態を模式的に示す断面図である。筐体１の天板部２の上面には蓋体２０が配設されている。この状態で蓋体２０は閉位置となっている。蓋体２０の前方の下側には鉄片等が埋め込まれ、これが蓋体用磁性部２１となっている。蓋体用磁性部２１は蓋体２０と連動可能であり、磁石５の上方に配置されている。蓋体２０は、蓋体用磁性部２１が磁石５に引き寄せられることにより、閉位置に保持されている。
【００１９】
図６は、本実施形態の電子機器の、蓋体２０が開けられ操作部材１０が操作された状態を模式的に示す断面図である。蓋体２０は後端を支点として揺動可能に支持されており、図５の閉位置から上方向に変位した状態となっている。操作部材１０は、図５の初期位置から下方向に変位した状態となっている。
【００２０】
本実施形態の入力装置によれば、共通の磁石５で操作部材１０を保持するとともに蓋体２０を保持するようにしたので、磁石の数を減らすことができ、部品点数を削減することができる。また、揺動ブラケット１１と操作部材用磁性部１６を同一部品で構成したので、操作部材用磁性部１６となる部品を特別に設ける必要がなく、部品点数を削減することができる。また、操作部材の剛性を高めることができ、良好な操作感触を得ることができる。
【００２１】
なお、本実施形態の説明においては、操作部材用磁性部１６および磁石５を揺動ブラケット１１の左側（図２、図３の紙面上では手前側）にのみ示したが、実際の製品では揺動ブラケット１１の右側にも設けることが望ましい。
【００２２】
次に、第２実施形態における電子機器について説明する。図７は、第２実施形態の入力装置における操作部材４０の周辺を切り出した部分から筐体を除いた状態の斜視図である。操作部材４０は揺動ブラケット４１を備え、揺動ブラケット４１は側方へ突出する部分をＬ字状に折り曲げて形成した操作部材用磁性部４２を備えている。操作部材用磁性部４２は、磁石４３の下方ではなく側方に隙間を有して配置されるようにしている。操作部材４０は、操作部材用磁性部４２が磁石４３により側方に引き寄せられることにより初期位置に保持されている。本実施例で示すように、操作部材用磁性部４２は磁石４３の下方ではなく側方に配置するようにしてもよい。また、側方であってやや下方に配置するようにして、操作部材用磁性部４２が磁石４３により斜め上方に引き寄せられるようにしてもよい。
【００２３】
なお、本発明は、これらの実施形態で示した構成に限られるものではない。例えば、これらの実施形態では、磁石は操作部材の左右に設けるようにしたが、中央に設けるようにしてもよい。また、これらの実施形態では、磁石と操作部材用磁性部は離隔した状態で引き合うような構成としたが、当接するようにしてもよい。
【符号の説明】
【００２４】
１    筐体
２    天板部
３    開口部
４    駆動部
５    磁石
１０  操作部材      
１１  揺動ブラケット
１２  センサ基板
１３  表面シート
１４  弾性部材
１５  締結部材
１６  操作部材用磁性部
１７  クッション部材
２０  蓋体
２１  蓋体用磁性部
３０  タクティールスイッチ（検出手段）
４０  操作部材
４１  揺動ブラケット
４２  操作部材用磁性部
４３  磁石
【図１】
2015011921.tif 000003
【図２】
2015011921.tif 000004
【図３】
2015011921.tif 000005
【図４】
2015011921.tif 000006
【図５】
2015011921.tif 000007
【図６】
2015011921.tif 000008
【図７】
2015011921.tif 000009